(57)【要約】      （修正有）【課題】ダイバーが操作しなくても、ダイバーの浮上を直ちに検知できるダイバー用発信器を提供する。【解決手段】ダイバー用発信器は本体部２と取付紐３を備える。本体部２は、電池装着時に電波を送信し続ける発信回路１０と、中空密閉構造を有し発信回路１０を収容する本体ケース４と、本体ケース４に螺着される蓋体５とを含む。本体ケース４の外表面上の、螺着された蓋体５で覆われる位置に電池受け部８を設ける。本体部２は、電池を装着した状態で水に浮く。ダイバーが潜水中は、電波は船上または陸上にある受信機に到達しないが、ダイバーが海面に浮上すると、電波は受信機に到達するようになる。監視者は、受信機の出力に基づき、ダイバーの浮上を直ちに検知する。【選択図】図２
0003169482.tif 000002
【実用新案登録請求の範囲】
【請求項１】
電池装着時に電波を発信し続ける発信回路を内蔵した防水性の本体部と、
前記本体部をダイビング器材またはダイバーに取り付けるための紐状の取付部材とを備え、
前記本体部は、前記電池を装着した状態で水に浮くことを特徴とする、ダイバー用発信器。
【請求項２】
前記本体部は、前記発信回路と、中空密閉構造を有し前記発信回路を収容する本体ケースと、前記本体ケースに螺着される蓋体とを含み、
前記本体ケースの外表面上の、螺着された前記蓋体で覆われる位置に、前記電池を装着するための電池受け部が設けられていることを特徴とする、請求項１に記載のダイバー用発信器。
【考案の詳細な説明】
【技術分野】
【０００１】
本考案は、ダイバーの浮上を検知するためのダイバー用発信器に関する。
【背景技術】
【０００２】
スキューバダイビングを行うときには、潜水予定時間が予め設定され、通常の場合、ダイバーは潜水開始から予定時間が経過したときに海面に浮上する。ところが、潜水中にトラブルが発生した場合など、予定時間が経過する前にダイバーが海面に浮上することがある。このような場合、船上や陸上にいる監視者は、浮上したダイバーを早く発見し、救助など必要な措置を取る必要がある。ところが、ダイバーが潜水場所から離れた場所に浮上した場合や波が高い場合などには、船上や陸上からダイバーが見えにくく、ダイバーの発見が遅れることがある。
【０００３】
海面に浮上したダイバーを発見するための装置として、特許文献１には、折り畳み式の傘型表示体が記載されている。特許文献２には、エアタンクの空気を用いて膨らませるレスキューフロートが記載されている。また、ダイバー用の通信機器に関して、特許文献３には、音波を用いて水中同士や水上または陸上と水中との間で双方向通信を行う無線通信機が記載されている。特許文献４には、水深が深くなると無線通信部のＲＦ（Radio Frequency ）回路の電源をオフするダイバー用携帯無線端末が記載されている。
【先行技術文献】
【特許文献】
【０００４】
【特許文献１】特開平１１−１１５８８８号公報
【特許文献２】特開２００６−３３５２１９号公報
【特許文献３】特開２０００−２７８２２３号公報
【特許文献４】特開２００８−５３８７１号公報
【考案の概要】
【考案が解決しようとする課題】
【０００５】
しかしながら、特許文献１および２に記載された装置は、ダイバーが所定の操作を行ったときに初めて利用可能になる。このため、例えば気を失ったダイバーには、これらの装置は役に立たない。また、ダイバーが操作に要する時間の分だけ、ダイバーの発見が遅れることも問題となる。
【０００６】
それ故に、本考案は、ダイバーが操作しなくても、ダイバーの浮上を直ちに検知できるダイバー用発信器を提供することを目的とする。
【課題を解決するための手段】
【０００７】
第１の考案は、電池装着時に電波を発信し続ける発信回路を内蔵した防水性の本体部と、前記本体部をダイビング器材またはダイバーに取り付けるための紐状の取付部材とを備え、前記本体部は、前記電池を装着した状態で水に浮くことを特徴とする、ダイバー用発信器である。
【０００８】
第２の考案は、第１の考案において、前記本体部は、前記発信回路と、中空密閉構造を有し前記発信回路を収容する本体ケースと、前記本体ケースに螺着される蓋体とを含み、前記本体ケースの外表面上の、螺着された前記蓋体で覆われる位置に、前記電池を装着するための電池受け部が設けられていることを特徴とする。
【考案の効果】
【０００９】
上記第１の考案によれば、発信回路は使用時に電波を発信し続ける。ダイバーが潜水中は、電波は水中を伝搬せず、船上や陸上にある受信機に到達しない。ダイバーが海面に浮上すると、本体部が水に浮き、電波が受信機に到達するようになる。したがって、ダイバーが操作しなくても、受信機の出力に基づきダイバーの浮上を直ちに検知することができる。
【００１０】
上記第２の考案によれば、発信回路を収容した本体ケースを中空密閉構造とし、本体ケースの外表面上の蓋体で覆われる位置に電池受け部を設けることにより、電池交換を容易にしながら、発信回路について高い防水性を実現することができる。
【図面の簡単な説明】
【００１１】
【図１】本考案の実施形態に係るダイバー用発信器の構成を示す図である。
【図２】図１に示すダイバー用発信器の本体部の分解透視図である。
【図３】図１に示すダイバー用発信器の発信回路の構成を示すブロック図である。
【図４】図１に示すダイバー用発信器の取り付け例を示す図である。
【図５】ダイバーが潜水中の様子を示す図である。
【図６】ダイバーが海面に浮上したときの様子を示す図である。
【考案を実施するための形態】
【００１２】
図１は、本考案の実施形態に係るダイバー用発信器の構成を示す図である。図１に示すダイバー用発信器１は、カプセル形状を有し発信回路を内蔵した防水性の本体部２と、撥水性の取付紐３とを備えている。ダイバー用発信器１は、スキューバダイビングを行うときに好適に使用される。
【００１３】
図２は、本体部２の分解透視図である。図２に示すように、本体部２は、発信回路１０、本体ケース４、および、半球殻状の蓋体５を含んでいる。本体ケース４と蓋体５は、例えば樹脂（シリコン樹脂やプラスチックなど）で形成される。
【００１４】
本体ケース４は、中空密閉構造を有し、発信回路１０を収容する。本体ケース４に発信回路１０を入れた後、表面の隙間を樹脂で埋めるなどして、中空密閉構造を有する本体ケース４を形成する。これにより、本体ケース４の内部への水の侵入を防止すると共に、本体ケース４の内部に空気を閉じこめることができる。
【００１５】
本体ケース４の表面の一部には、ねじ山６が形成される。蓋体５の内表面の一部には、ねじ山６に対応したねじ溝７が形成される。ねじ山６とねじ溝７を合わせて蓋体５を回転させることにより、蓋体５は本体ケース４に螺着される。
【００１６】
図３は、発信回路１０の構成を示すブロック図である。図３に示すように、発信回路１０は、マーカー発信部１１、ＦＭ（Frequency Modulation）変調部１２、送信部１３、および、ループアンテナ１４を含んでいる。マーカー発信部１１は、所定の周波数を有するマーカー音を所定の時間間隔で出力する。マーカー発信部１１は、例えば、５秒に１回、０．５秒間マーカー音を出力する。ＦＭ変調部１２は、マーカー発信部１１の出力信号に基づき、無線通信に用いる搬送波をＦＭ変調する。送信部１３は、ＦＭ変調部１２の出力信号を増幅する。送信部１３の出力はループアンテナ１４に接続されており、ループアンテナ１４からはマーカー音を伝える電波が発信される。
【００１７】
発信回路１０は、電池で動作する。図２および図３に示すように、本体ケース４の外表面上の、螺着された蓋体５で覆われる位置に、電池を装着するための電池受け部８が設けられる。発信回路１０は、スイッチを有しておらず、電池装着時に電波を発信し続ける。
【００１８】
図２に示すように、蓋体５の頂上部分には、取付紐３を通すための穴を有する突起部９が設けられる。この穴に取付紐３を通し、取付紐３の両端を結ぶことにより、本体部２にリング状の取付紐３を取り付ける。また、取付紐３を用いてダイビング器材またはダイバー自身に、潜水中のダイバーの邪魔にならないようにダイバー用発信器１を取り付ける。例えば、図４に示すように、取付紐３を用いてタンクバルブ２１にダイバー用発信器１を取り付ければよい。取付紐３は、本体部２をダイビング器材またはダイバーに取り付けるための紐状の取付部材として機能する。
【００１９】
上述したように、本体ケース４は中空密閉構造を有し、本体ケース４の内部には空気が閉じこめられている。また、本体ケース４に蓋体５を螺着したときに、本体ケース４と蓋体５で囲まれる空間にも空気が入る。このため、本体部２は、電池を装着した状態でも水に浮く。
【００２０】
図５および図６を参照して、ダイバー用発信器１の使用方法を説明する。ダイバーは、潜水前に電池受け部８に電池を装着する。これ以降、発信回路１０は、マーカー音を伝える電波を発信し続ける。ダイバーは、取付紐３を用いて、ダイビング器材またはダイバー自身にダイバー用発信器１を取り付ける。
【００２１】
船上または陸上にいる監視者は、受信機（図示せず）を用いて、ダイバー用発信器１から発信された電波を受信する。ダイバー用発信器１から発信された電波を受信すると、受信機のスピーカーからマーカー音が聞こえる。監視者は、マーカー音が聞こえるまで待機する。
【００２２】
図５は、ダイバーが潜水中の様子を示す図である。ダイバーが潜水中も、発信回路１０は電波を発信し続ける。しかし、電波は水中では伝搬しないので、船上や陸上にある受信機はダイバー用発信器１から発信された電波を受信しない。したがって、ダイバーが潜水中は、受信機のスピーカーからマーカー音は聞こえない。
【００２３】
図６は、ダイバーが海面に浮上したときの様子を示す図である。本体部２は水に浮くので、ダイバーが海面に浮上したときに、本体部２の一部が水中から出て、空気に接するようになる。このとき、船上や陸上にある受信機はダイバー用発信器１から発信された電波を受信し、受信機のスピーカーからマーカー音が聞こるようになる。
【００２４】
監視者は、マーカー音を聞くと、ダイバーが浮上したことを認識し、浮上したダイバーを捜す。ダイバーが海面に浮上すると、マーカー音は直ちに聞こえるので、ダイバーの捜索を直ちに開始し、ダイバーを早く発見することができる。なお、ダイバー用発信器１を使用するときには、ダイバーが海面に浮上したときに本体部２の一部が水中から出るように、取り付け位置と取付紐３の長さを予め決定しておく必要がある。
【００２５】
以下、ダイバー用発信器で用いる無線通信について説明する。ダイバー用発信器は、例えば、免許を要しない特定小電力無線を用いてもよい。特定小電力無線の４４２ＭＨｚ帯（４２２．０５〜４２２．３０ＭＨｚ）には、１２．５ＫＨｚステップで２０個のチャンネルが存在する。ダイバー用発信器は、２０個のチャンネルのうちから選択した１個のチャンネルを使用する。あるいは、ダイバー用発信器は、アマチュア無線を用いてもよい。アマチュア無線の１４４ＭＨｚ帯（１４４．００〜１４５．９９ＭＨｚ）には、２０ＫＨｚステップで１００個のチャンネルが存在する。ダイバー用発信器は、１００個のチャンネルのうちから選択した１個のチャンネルを使用する。
【００２６】
複数のダイバー用発信器を提供する場合には、すべてのダイバー用発信器で同じチャンネルを使用してもよく、ダイバー用発信器ごとに異なるチャンネルを使用してもよい。前者の場合、受信機は、特定のチャンネルの電波だけを受信する。後者の場合、受信機は、チャンネルを切り替えながら、複数のチャンネルの電波を受信する。
【００２７】
また、スケルチ機能を用いて、海面に浮上したダイバーを特定する方法が考えられる。例えば、トーンスケルチを用いる場合には、図３に示す発信回路にトーンエンコーダを追加し、ダイバー用発信器ごとに異なるトーン周波数を割り当てる。受信機は、トーン周波数を切り替えながら、ダイバー用発信器から発信された電波を受信する。これにより、いずれのトーンを含む電波を受信したかを検知し、海面に浮上したダイバーを特定することができる。
【００２８】
デジタルコードスケルチ（ＤＣＳ：Digital Code Squelch）を用いる場合には、図３に示す発信回路にＤＣＳ回路を追加し、ダイバー用発信器ごとに異なるＤＣＳコードを割り当てる。受信機は、ＤＣＳコードを切り替えながら、ダイバー用発信器から発信された電波を受信する。これにより、いずれのＤＣＳコードを含む電波を受信したかを検知し、海面に浮上したダイバーを特定することができる。
【００２９】
以上に示すように、本実施形態に係るダイバー用発信器１は、電池装着時に電波を発信し続ける発信回路１０を内蔵した本体部２と、本体部２をダイビング器材またはダイバーに取り付けるための取付紐３（紐状の取付部材）とを備え、本体部２は電池を装着した状態で水に浮くことを特徴とする。発信回路１０は使用時に電波を発信し続ける。ダイバーが潜水中は、電波は水中を伝搬せず、船上や陸上にある受信機に到達しない。ダイバーが海面に浮上すると、本体部２が水に浮き、電波が受信機に到達するようになる。したがって、ダイバーが操作しなくても、受信機の出力にも基づきダイバーの浮上を直ちに検知することができる。
【００３０】
また、本体部２は、発信回路１０と、中空密閉構造を有し発信回路１０を収容する本体ケース４と、本体ケース４に螺着される蓋体５とを含み、本体ケース４の外表面上の、螺着された蓋体５で覆われる位置には、電池を装着するための電池受け部８が設けられている。したがって、電池交換を容易にしながら、発信回路１０について高い防水性を実現することができる。
【００３１】
なお、以上の説明では、本体部２はカプセル形状を有することとしたが、本体部２の形状は任意でよい。また、取付紐３を蓋体５ではなく本体ケース４に取り付けてもよい。また、ダイバー用発信器は、取付紐３に代えて、同様の機能を有する他の取付部材（例えば、一端に取り付け用クリップを設けたゴム製のバンド）を備えていてもよい。
【符号の説明】
【００３２】
１…ダイバー用発信器
２…本体部
３…取付紐
４…本体ケース
５…蓋体
８…電池受け部
１０…発信回路
【図１】
0003169482.tif 000003
【図２】
0003169482.tif 000004
【図３】
0003169482.tif 000005
【図４】
0003169482.tif 000006
【図５】
0003169482.tif 000007
【図６】
0003169482.tif 000008
【手続補正書】
【提出日】平成23年5月26日(2011.5.26)
【手続補正１】
【補正対象書類名】明細書
【補正対象項目名】０００７
【補正方法】変更
【補正の内容】
【０００７】
第１の考案は、電池装着時に電波を発信し続ける発信回路を内蔵した防水性の本体部と、前記本体部をダイビング器材またはダイバーに取り付けるための紐状の取付部材とを備え、前記本体部は、前記発信回路と、中空密閉構造を有し前記発信回路を収容する本体ケースとを含み、前記電池を装着した状態で水に浮くことを特徴とする、ダイバー用発信器である。
【手続補正２】
【補正対象書類名】明細書
【補正対象項目名】０００８
【補正方法】変更
【補正の内容】
【０００８】
第２の考案は、第１の考案において、前記本体部は、前記本体ケースに螺着される蓋体をさらに含み、前記本体ケースの外表面上の、螺着された前記蓋体で覆われる位置に、前記電池を装着するための電池受け部が設けられていることを特徴とする。
【手続補正３】
【補正対象書類名】実用新案登録請求の範囲
【補正対象項目名】全文
【補正方法】変更
【補正の内容】
【実用新案登録請求の範囲】
【請求項１】
電池装着時に電波を発信し続ける発信回路を内蔵した防水性の本体部と、
前記本体部をダイビング器材またはダイバーに取り付けるための紐状の取付部材とを備え、
前記本体部は、前記発信回路と、中空密閉構造を有し前記発信回路を収容する本体ケースとを含み、前記電池を装着した状態で水に浮くことを特徴とする、ダイバー用発信器。
【請求項２】
前記本体部は、前記本体ケースに螺着される蓋体をさらに含み、
前記本体ケースの外表面上の、螺着された前記蓋体で覆われる位置に、前記電池を装着するための電池受け部が設けられていることを特徴とする、請求項１に記載のダイバー用発信器。